(57)【要約】【課題】蓋を閉じた時の衝撃や構成部材の変位に起因した内容物の割れを回避する。【解決手段】弾性変位を可能とする隔壁1aの外側上部に係止片1dを有し、該隔壁1a及び周壁1bによって内容物装填用の中皿３を入れ込む凹部空間Ｍを区画形成した容器本体１と、この容器本体１に枢支軸を介して開閉可能に揺動連結され、該係止片1dに連係させて容器を密閉状態に維持する蓋体２とを備えたコンパクト容器において、前記中皿３に、その側壁若しくは側壁から底面にかけて貼着され、容器本体１の隔壁1a及び周壁1bの少なくとも一ヶ所で該中皿３との相互間にて隙間ｅを形成するテープ５を設ける。【選択図】図１
2006325654.tif 000002
【特許請求の範囲】
【請求項１】
弾性変位を可能とする隔壁の外側上部に係止片を有し、該隔壁及び周壁によって内容物装填用の中皿を入れ込む凹部空間を区画形成した容器本体と、この容器本体に枢支軸を介して開閉可能に揺動連結され、該係止片に連係させて容器を密閉状態に維持する蓋体とを備えたコンパクト容器であって、
前記中皿に、その側壁若しくは側壁から底面にかけて貼着され、容器本体の隔壁及び周壁の少なくとも一ヶ所で該中皿との相互間にて隙間を形成するテープを設けたことを特徴とするコンパクト容器。
【請求項２】
前記テープは、底面に位置する部位に、凹部空間の底部に貼り付く接着層を有する請求項１記載のコンパクト。
【請求項３】
前記隙間は、少なくとも係止片が配設された隔壁の内側壁と中皿の外周壁との間に設けられたものである、請求項１又は２記載のコンパクト容器。
【請求項４】
前記隙間は、中皿の上端から下端に至るまでの寸法に対し、該中皿の上端から概ね1/3以上の深さを有する、請求項１〜３の何れかに記載のコンパクト容器。
【発明の詳細な説明】
【技術分野】
【０００１】
本発明は、プレストパウダー（粉末体を加圧して固形化したもの）の如きを内容物として装填した中皿を備えたコンパクト容器につき、蓋体を閉じた際の衝撃、構成部材の変位等によって発生することが懸念される内容物の割れを確実に回避しようとするものである。
【背景技術】
【０００２】
化粧料の携帯に使用されるコンパクト容器は、普通、化粧料を使い切ったのちに新たに化粧料を補填して該コンパクト容器自体を長期間にわたって利用できるように中皿の取替えが可能になっている。
【０００３】
かかるコンパクト容器は、落下に伴う衝撃によって中皿に装填された内容物に割れが入るのを回避するために種々の緩衝構造が提案されているが（例えば、特許文献１参照）、蓋を閉めた際の衝撃に起因した内容物の割れや蓋を閉めた時の枠体の変形による割れ（枠体の変形により中皿の側壁が押圧されて内容物に割れが入る）がしばしば見受けられ、このような不具合に関する対策は今のところなされていないのが現状であった。
【特許文献１】特開平3−31206号公報
【発明の開示】
【発明が解決しようとする課題】
【０００４】
本発明の課題は、蓋を閉めた際の衝撃や構成部材の変位に起因した内容物の割れを回避できる新規なコンパクト容器を提案するところにある。
【課題を解決するための手段】
【０００５】
本発明は、弾性変位を可能とする隔壁の外側上部に係止片を有し、該隔壁及び周壁によって内容物装填用の中皿を入れ込む凹部空間を区画形成した容器本体と、この容器本体に枢支軸を介して開閉可能に揺動連結され、該係止片に連係させて容器を密閉状態に維持する蓋体とを備えたコンパクト容器であって、
前記中皿に、その側壁若しくは側壁から底面にかけて貼着され容器本体の隔壁及び周壁の少なくとも一ヶ所で該中皿との相互間にて隙間を形成するテープを設けたことを特徴とするコンパクト容器である。
【０００６】
上記の構成になるコンパクト容器において、前記テープの底面に位置する部位には、凹部空間の底部に貼り付く接着層を設けるのが好ましい。
【０００７】
また、前記隙間は、少なくとも係止片が配設された隔壁の内側壁と中皿の外周壁との間に設けられたものが好ましく、さらには、中皿の上端から下端に至るまでの寸法に対し、該中皿の上端から概ね1/3以上の深さとなるように構成するのが好ましい。
【発明の効果】
【０００８】
中皿を凹部空間に入れ込んだとき、該中皿の側壁と容器本体を構成する隔壁、周壁との相互間にはテープによって隙間が形成されるため、蓋を閉じたときの衝撃が直接伝播されたり、隔壁や周壁の変位によって中皿が押されることがなく、内容物の割れは回避される。
【発明を実施するための最良の形態】
【０００９】
以下、図面を用いて本発明をより具体的に説明する。
図１は本発明に従うコンパクト容器の外観斜視図であり、図中１は容器本体である。この容器本体１はその前面に弾性変位可能な隔壁1aが設けられ、この隔壁1a及びこれにつながる周壁1bによって内容物装填用の中皿を入れ込む凹部空間Ｍが区画形成されており、該凹部空間Ｍの底部には中皿を取替える際にピンやコイン等により中皿の底部から押し上げるための開口部1cが形成されている。
【００１０】
また、２は容器本体1に枢支軸（図示せず）を介して開閉可能に揺動連結された蓋体である。この蓋体２は揺動最先端の下面にフック2aが設けられており、このフック2aが隔壁1aの外側上部に設けられた係止片1dに連係することによって容器を密閉状態に維持する。
【００１１】
３は容器本体１の凹部空間Ｍに入れ込むことができる中皿（底面を上にして表示）、４は開蓋時にフック2aの下端を蹴り上げることにより隔壁1aを内向きに弾性変位させてフック2aと係止片1dとの連係を解除して蓋体２の開放を可能とする押しボタン、５は中皿３の側面3aから底面3bにかけてその対向位置で貼着されたテープである。このテープ５は容器の要部断面を図２に示すように、隔壁1a、周壁1bの２箇所で中皿３との相互間にて隙間ｅを形成する。なお、図２に示した押しボタンは、容器本体前端に枢着された回転タイプのものとして示したが、本発明はこのような押しボタンに限るものではなくスライドタイプのものも採用可能であり、さらには、押しボタンを介することなくフック2aと係止片1dとを連係させるタイプのコンパクト容器としてもよい。
【００１２】
隔壁１aと中皿３とが接触した状態にあると、フック2aと係止片1dとの連係を解除すべく押しボタン４を押したとき該隔壁1aが弾性変位するためそれに伴って中皿３が押される一方、蓋体２を閉じた際には、その際の衝撃が隔壁1a、周壁1bを通して中皿３に伝播されるので内容物が割れるおそれがあるが、本発明に従うコンパクト容器は、隙間ｅが存在するため蓋体２を閉じた際の衝撃や隔壁1aの弾性変位に伴う押圧力が中皿３に直接伝播されることはなく、従って内容物は簡単には割れない。
【００１３】
テープ５は、底面に位置する部位に凹部空間Ｍの底部に貼り付く接着層を設けることが可能で、これにより中皿３の凹部空間Ｍに対する設置をより確実にすることができる。また、テープ５を発泡性のタックラベルとして緩衝効果の向上を図ってもよいし、さらには図３に示すように中皿３の側壁にのみ貼着するようにしてもよい。なお、テープ５の幅は特に限定されるものではなく、自由に寸法設定することが可能である。
【００１４】
隙間ｅは図２に示すように中皿３の上端から下端に至るまでの寸法Ｈに対し、該中皿３の上端から概ね１／３以上の深さＨ１になるようにテープ５を貼り付けるのがよく、これにより蓋体２を閉めた際の衝撃や隔壁1aが弾性変位した際の影響を著しく小さくできる。
【００１５】
上掲図１においては、隔壁1aと中皿３との相互間と、その対向位置における周壁1bと金皿３との相互間の２面にそれぞれテープ５を配置する例を示したが、該テープ５は蓋体を閉じるときの衝撃や部材の変位の影響を極力小さくできれば隔壁1aが存在する部分のみ（１面）に配置してもよいし、これとは逆に４面にすべて配置することもでき、この点については限定されない。
【産業上の利用可能性】
【００１６】
蓋を閉じた際の衝撃や構成部材の変位、押圧に起因した内容物の割れを回避できるコンパクト容器が提供できる。
【図面の簡単な説明】
【００１７】
【図１】本発明に従うコンパクト容器の実施の形態を示した図である。
【図２】図１に示したコンパクト容器の要部の断面を拡大して示した図である。
【図３】本発明に従うコンパクト容器の他の実施の形態を示した図である。
【符号の説明】
【００１８】
１  容器本体
1a  隔壁
1b  周壁
1c  開口部
1d  係止片
２  蓋体
2a  フック
３  中皿
3a  側面
3b  底面
４  押しボタン
５  テープ
ｅ  隙間
Ｍ  凹部空間
【図１】
2006325654.tif 000003
【図２】
2006325654.tif 000004
【図３】
2006325654.tif 000005